(57)【要約】【課題】  ベッドの長さおよび幅の両寸法において、ベビーベッドとして適した形態と、大人用ベッドとして適した形態とに切換え可能なベッドを提供する。【解決手段】  ベビーベッドの形態になっているベッド１は、矩形の床板２と、この床板２の周囲四方を取り囲む囲い枠とを備える。囲い枠は、床板２上に寝かされる乳幼児の頭側に位置する頭部枠３と、足側に位置する足部枠４と、左手側に位置する左側部枠５と、右手側に位置する右側部枠（図示省略）とを備える。頭部枠３は、左側部枠５にヒンジを介して回動可能に連結された内側頭部枠３ａと、この内側頭部枠３ａにヒンジを介して回動可能に連結された外側頭部枠３ｂとを含む。足部枠４は、左側部枠５にヒンジを介して回動可能に連結された内側足部枠４ａと、この内側足部枠４ａにヒンジ１０を介して回動可能に連結された外側足部枠４ｂとを含む。大人用ベッドとしての形態では、左側部枠５、内側頭部枠３ａおよび内側足部枠４ａが、床板として使用される。【選択図】      図１
2005342136.tif 000002
【特許請求の範囲】
【請求項１】
ベビーベッドとして適した形態と、大人用ベッドとして適した形態とに切換え可能なベッドにおいて、
ベビーベッドとしての形態では、床板と、この床板の周囲を取り囲む囲い枠とを備え、
大人用ベッドとしての形態では、前記囲い枠の一部が大人用ベッドの床板として使用されることを特徴とする、ベッド。
【請求項２】
前記囲い枠は、頭側に位置する頭部枠と、足側に位置する足部枠と、側面側に位置する側部枠とを含み、
大人用ベッドとしての形態では、前記側部枠とともに、前記頭部枠または足部枠の一部が大人用ベッドの床板として使用される、請求項１に記載のベッド。
【請求項３】
前記頭部枠は、前記側部枠にヒンジを介して回動可能に連結された内側頭部枠と、前記内側頭部枠にヒンジを介して回動可能に連結された外側頭部枠とを含み、
前記足部枠は、前記側部枠にヒンジを介して回動可能に連結された内側足部枠と、前記内側足部枠にヒンジを介して回動可能に連結された外側足部枠とを含み、
前記側部枠、前記内側頭部枠および前記内側足部枠が、大人用ベッドの床板として使用される、請求項２に記載のベッド。
【請求項４】
大人用ベッドとしての使用形態では、前記外側頭部枠および前記外側足部枠は、それぞれ、頭側の枠部材および足側の枠部材となる、請求項３に記載のベッド。
【請求項５】
前記外側頭部枠の上下の端面に、前記内側頭部枠の上下の端面上にまで張り出して延びる１対の頭部張出部材が固定して取付けられており、
前記外側足部枠の上下の端面に、前記内側足部枠の上下の端面上にまで張り出して延びる１対の足部張出部材が固定して取付けられており、
大人用ベッドとしての使用形態では、前記１対の頭部張出部材および前記１対の足部張出部材が大人用ベッドの床板を床面から浮かせた状態で支持するための脚部となる、請求項３または４に記載のベッド。
【請求項６】
前記内側頭部枠および前記内側足部枠は、それぞれ、前記側部枠に対して同平面に延在する状態から内側に屈曲して重なり合う状態になるまで回動可能であり、
前記外側頭部枠および前記外側足部枠は、それぞれ、前記内側頭部枠および前記内側足部枠に対して同平面に延在する状態から外側に屈曲して重なり合う状態になるまで回動可能である、請求項３〜５のいずれかに記載のベッド。
【請求項７】
前記頭部枠は、前記側部枠に固定された内側頭部枠と、前記内側頭部枠にヒンジを介して回動可能に連結された外側頭部枠とを含み、
前記足部枠は、前記側部枠にヒンジを介して回動可能に連結されており、
前記側部枠および前記足部枠が、大人用ベッドの床板として使用される、請求項２に記載のベッド。
【請求項８】
前記外側頭部枠は、前記内側頭部枠に対して同平面に延在する状態から外側に屈曲して重なり合う状態になるまで回動可能であり、
前記足部枠は、前記側部枠に対して９０度に屈曲した状態からほぼ同平面に延在する状態になるまで回動可能であり、
大人用ベッドとしての使用形態では、前記内側頭部枠は、大人用ベッドの床板を浮かせた状態で支持するための脚部となり、前記外側頭部枠は、頭側の枠部材となる、請求項７に記載のベッド。
【請求項９】
前記足部枠は、ベビーベッドとしての使用形態で、前記側部枠と対向して平行に延びる屈曲壁を含み、
大人用ベッドとしての使用形態では、前記屈曲壁は、大人用ベッドの床板を浮かせた状態で支持するための脚部となる、請求項７または８に記載のベッド。
【請求項１０】
ベビーベッドとしての使用形態における前記床板は、その頭側端部および足側端部に、下方に張り出した脚部を有しており、大人用ベッドの使用形態では、この床板は、前記囲い枠の一部によって形成される大人用ベッドの床板の裏面を下から支えるように配置される、請求項１〜９のいずれかに記載のベッド。
【請求項１１】
矩形の床板と、この床板の周囲を取り囲む囲い枠とを備え、
前記囲い枠は、頭側に位置する頭部枠と、足側に位置する足部枠と、側面側に位置する側部枠とを含み、
前記頭部枠は、前記側部枠にヒンジを介して回動可能に連結された内側頭部枠と、前記内側頭部枠にヒンジを介して回動可能に連結された外側頭部枠とを含み、
前記足部枠は、前記側部枠にヒンジを介して回動可能に連結された内側足部枠と、前記内側足部枠にヒンジを介して回動可能に連結された外側足部枠とを含む、ベビーベッド。
【発明の詳細な説明】
【技術分野】
【０００１】
この発明は、ベッドに関し、特にベビーベッドとして適した形態と、大人用ベッドとして適した形態とに切換え可能なベッドに関するものである。さらに、折畳み状態への移行操作を簡単に行なうことができるベビーベッドに関するものである。
【背景技術】
【０００２】
通常、乳児は誕生してからほぼ１歳を経過するまで、周囲四方を囲んだ形態のベビーベッド上に寝かされる。乳児の成長に伴い、このベビーベッドは不要なものとなる。
【０００３】
ベビーベッドそのものは乳児を寝かせるだけのものであるため、比較的傷つくことが少なく、十分再利用が可能である。ベビーベッドを使用した乳児が、成長後も引き続いてこのベッドを利用することができれば、物を大切にしようとする気持ちを持たせることができる。また、形を変えたベビーベッドを成長後も継続して使用することにより、乳児の時代に親から受けた愛情の記憶を長期に亘って持続させることができ、あたたかい心を育むことができるようになる。
【０００４】
上記の要望を満たすベビーベッドが、特開２００４−４１６２９号公報に開示されている。この公報に開示されたベビーベッドでは、ベッド床フレームの長さが調節可能に設けられている。乳児のときにはベッド床フレームの長さを短くし、子供が成長したときにはベッド床フレームの長さを長くする。
【特許文献１】特開２００４−４１６２９号公報
【発明の開示】
【発明が解決しようとする課題】
【０００５】
上記公報に開示されたベビーベッドの場合、ベッド床フレームの長さを長くすることにより、大人用ベッドとして使用することを可能にしている。しかしながら、ベビーベッドとしての形態と大人用ベッドとしての形態とを比較したとき、ベッドの幅寸法は同じである。そのため、大人がこのベッドを大人用ベッドの形態で使用するとき、幅が窮屈なものとなる。
【０００６】
本発明の目的は、ベッドの長さおよび幅の両寸法において、ベビーベッドとして適した形態と、大人用ベッドとして適した形態とに切換え可能なベッドを提供することである。
【課題を解決するための手段】
【０００７】
この発明は、ベビーベッドとして適した形態と、大人用ベッドとして適した形態とに切換え可能なベッドである。ベビーベッドとしての形態では、床板と、この床板の周囲を取り囲む囲い枠とを備える。大人用ベッドとしての形態では、囲い枠の一部が大人用ベッドの床板として使用される。ベビーベッドにおける囲い枠の高さは、一般的には、ベッド床の幅寸法よりも大きい。したがって、囲い枠の一部を大人用ベッドの床板として使用すれば、十分なベッド幅寸法となる。
【０００８】
好ましい実施形態では、囲い枠は、頭側に位置する頭部枠と、足側に位置する足部枠と、側面側に位置する側部枠とを含む。大人用ベッドとしての形態では、側部枠とともに、頭部枠または足部枠の一部が大人用ベッドの床板として使用される。側部枠の長さは、ベビーベッドの床板の長さとほぼ同じである。したがって、側部枠に加えて、頭部枠または足部枠の一部を大人用ベッドの床板として使用すれば、十分なベッド長さおよびベッド幅を確保することができる。
【０００９】
一つの実施形態では、頭部枠は、側部枠にヒンジを介して回動可能に連結された内側頭部枠と、内側頭部枠にヒンジを介して回動可能に連結された外側頭部枠とを含む。足部枠は、側部枠にヒンジを介して回動可能に連結された内側足部枠と、内側足部枠にヒンジを介して回動可能に連結された外側足部枠とを含む。この実施形態では、側部枠、内側頭部枠および内側足部枠が、大人用ベッドの床板として使用される。さらに好ましくは、大人用ベッドとしての使用形態では、外側頭部枠および外側足部枠は、それぞれ、頭側の枠部材および足側の枠部材となる。
【００１０】
上記の実施形態において、好ましくは、外側頭部枠の上下の端面に、内側頭部枠の上下の端面上にまで張り出して延びる１対の頭部張出部材が固定して取付けられている。外側足部枠の上下の端面にも、内側足部枠の上下の端面上にまで張り出して延びる１対の足部張出部材が固定して取付けられている。大人用ベッドとしての使用形態では、１対の頭部張出部材および１対の足部張出部材が大人用ベッドの床板を床面から浮かせた状態で支持するための脚部となる。
【００１１】
また、上記の実施形態において、好ましくは、内側頭部枠および内側足部枠は、それぞれ、側部枠に対して同平面に延在する状態から内側に屈曲して重なり合う状態になるまで回動可能である。外側頭部枠および外側足部枠は、それぞれ、内側頭部枠および内側足部枠に対して同平面に延在する状態から外側に屈曲して重なり合う状態になるまで回動可能である。このような構成であれば、折畳み状態での嵩張りが小さくなるので、運搬時または倉庫収納時のスペースを効率的に使用できる。
【００１２】
他の実施形態では、頭部枠は、側部枠に固定された内側頭部枠と、内側頭部枠にヒンジを介して回動可能に連結された外側頭部枠とを含む。足部枠は、側部枠にヒンジを介して回動可能に連結されている。この実施形態では、側部枠および足部枠が、大人用ベッドの床板として使用される。
【００１３】
上記の実施形態において、好ましくは、外側頭部枠は、内側頭部枠に対して同平面に延在する状態から外側に屈曲して重なり合う状態になるまで回動可能である。また、足部枠は、側部枠に対して９０度に屈曲した状態からほぼ同平面に延在する状態になるまで回動可能である。大人用ベッドとしての使用形態では、内側頭部枠は、大人用ベッドの床板を浮かせた状態で支持するための脚部となり、外側頭部枠は、頭側の枠部材となる。
【００１４】
さらに好ましくは、足部枠は、ベビーベッドとしての使用形態で、側部枠と対向して平行に延びる屈曲壁を含む。この場合、大人用ベッドとしての使用形態では、屈曲壁は、大人用ベッドの床板を浮かせた状態で支持するための脚部となる。
【００１５】
好ましい実施形態として、ベビーベッドとしての使用形態における床板は、その頭側端部および足側端部に、下方に張り出した脚部を有しており、大人用ベッドの使用形態では、この床板は、囲い枠の一部によって形成される大人用ベッドの床板の裏面を下から支えるように配置される。
【００１６】
この発明に従ったベビーベッドは、矩形の床板と、この床板の周囲を取り囲む囲い枠とを備える。囲い枠は、頭側に位置する頭部枠と、足側に位置する足部枠と、側面側に位置する側部枠とを含む。頭部枠は、側部枠にヒンジを介して回動可能に連結された内側頭部枠と、内側頭部枠にヒンジを介して回動可能に連結された外側頭部枠とを含む。足部枠は、側部枠にヒンジを介して回動可能に連結された内側足部枠と、内側足部枠にヒンジを介して回動可能に連結された外側足部枠とを含む。このような構成のベビーベッドによれば、折畳み状態への移行操作を簡単に行なうことができ、さらに折畳み状態の嵩張りを小さくすることができる。
【発明を実施するための最良の形態】
【００１７】
図１〜図５は、この発明の一実施形態に係るベッドを示している。図１は、ベビーベッドとして適した形態になっているベッド１を示し、図３および図４は、大人用ベッドとして適した形態になっているベッド１を示している。本明細書中において使用する「大人」という用語は、必ずしも成人した大人だけを意味するのではなく、小学生、中学生、高校生のような子供も包含するものであると理解しなければならない。
【００１８】
図１を参照して、ベッド１の基本的な構成を説明する。ベビーベッドの形態になっているベッド１は、矩形の床板２と、この床板２の周囲四方を取り囲む囲い枠とを備える。囲い枠は、通常、格子形状のものであるが、図では便宜上、単純な平板形状として示している。
【００１９】
囲い枠は、床板２上に寝かされる乳幼児の頭側に位置する頭部枠３と、足側に位置する足部枠４と、左手側に位置する左側部枠５と、右手側に位置する右側部枠（図示省略）とを備える。図示していない右側部枠は、例えば、上下にスライド可能または取り外し可能に設けられている。ベビーベッドの底部の４つのコーナー部には、移動のためのキャスタ１１が取り付けられている。このキャスタ１１は、取り外し可能に設けられており、大人用ベッドの形態にする際、取り外される。
【００２０】
床板２は、その頭側端部および足側端部に、下方に張出した脚部２ａを有している。床板２の高さ調節を可能にするために、頭部枠３および足部枠４は、それぞれ上下に間隔をあけて設けられた複数の穴９を有している。図示した状態では、最も上に位置する穴に嵌められた４個のねじ８（頭部枠３上に２個、足部枠４上に２個）によって、床板２の高さを固定している。生まれて間もない乳児に対しては、世話のし易さ、脱落の危険性が少ないこと等の理由で床板２を高い位置で固定する。乳児が成長して大きくなったときには活発に動くようになるので、脱落防止の観点から床板２を低い位置で固定する。
【００２１】
乳幼児が成長してベビーベッドとしての使用が不要になったとき、図１に示すように右側部枠を取り外せば子供の学習机としての利用が可能になる。
【００２２】
頭部枠３は、左側部枠５にヒンジ（図示省略）を介して回動可能に連結された内側頭部枠３ａと、この内側頭部枠３ａにヒンジ(図示省略）を介して回動可能に連結された外側頭部枠３ｂとを含む。足部枠４は、左側部枠５にヒンジ（図示省略）を介して回動可能に連結された内側足部枠４ａと、この内側足部枠４ａにヒンジ１０を介して回動可能に連結された外側足部枠４ｂとを含む。このように各枠をヒンジを介して回動可能に接続することにより、形態の変更および折り畳みを容易に行なうことが可能になる。
【００２３】
図示するように、外側頭部枠３ｂの上下の端面に、１対の頭部張出部材６が固定して取り付けられている。この１対の頭部張出部材６は、内側頭部枠３ａの上下端面上にまで張出して延びている。また、各側部張出部材６は、ねじ８を受け入れるための穴６ａを有している。
【００２４】
外側足部枠４ｂの上下の端面にも、１対の足部張出部材７が固定して取り付けられている。この１対の足部張出部材７は、内側足部枠４ａの上下端面上にまで張出して延びている。また、各足部張出部材７は、ねじ８を受けれるための穴７ａを有している。
【００２５】
図２は、外側頭部枠３ｂと内側頭部枠３ａとが屈曲した状態、および外側足部枠４ｂと内側足部枠４ａとが屈曲した状態を示している。内側頭部枠３ａおよび内側足部枠４ａは、それぞれ、左側部枠５に対して同平面に延在する状態（図４参照）から内側に屈曲して重なり合う状態（図５参照）になるまで回動可能である。また、外側頭部枠３ｂおよび外側足部枠４ｂは、それぞれ、内側頭部枠３ａおよび内側足部枠４ａに対して同平面に延在する状態（図１参照）から外側に屈曲して重なり合う状態（図５参照）になるまで回動可能である。
【００２６】
図１に示すベビーベッドの形態では、ねじ８によって頭部枠３および足部枠４を床板２に固定しているので、頭部枠３、足部枠４、左側部枠５および右側部枠（図示省略）からなる囲い枠の形状が固定される。
【００２７】
図１に示すベビーベッドの形態から図３および図４に示す大人用ベッドの形態に変更しようとするときには、４個のねじ８を取り外し、床板２および右側部枠（図示省略）を分離する。また、４個のキャスタ１１も取り外す。この状態が図２に示す状態である。
【００２８】
図２に示す状態から、左側部枠５の内側の面が床面に対面するようにし、内側頭部枠３ａおよび内側足部枠４ａを左側部枠５と同平面に延在するようにする。図３および図４に示すように、内側頭部枠３ａおよび内側足部枠４ａは、それぞれ、左側部枠５と同平面に延在している状態では、左側部枠５の両端面にほぼ隙間なく突き当たって当接しているので、平面状態を越えて屈曲するようなことはない。
【００２９】
図３および図４に示すように、外側頭部枠３ｂおよび外側足部枠４ｂは、それぞれ、内側頭部枠３ａおよび内側足部枠４ａに対して９０度に屈曲した位置関係とされる。この屈曲状態は、床板２を固定するのに使用されていた４個のねじ８を頭部張出部材６の穴６ａおよび足部張出部材７の穴７ａ内に嵌め入れることによって固定される。具体的には、外側頭部枠３ｂに固定されている１対の頭部張出部材６と内側頭部枠３ａとを２個のねじ８によって固定し、外側足部枠４ｂに固定されている１対の足部張出部材７と内側足部枠４ａとを２個のねじ８によって固定する。
【００３０】
図３および図４に示すように、大人用ベッドの形態では、１対の頭部張出部材６および１対の足部張出部材７が大人用ベッドの床板を床面から浮かせた状態で支持するための脚部となる。大人用ベッドの床板は、左側部枠５、内側頭部枠３ａおよび内側足部枠４ａによって形成される。また、外側頭部枠３ｂおよび外側足部枠４ｂは、それぞれ、頭側の枠部材および足側の枠部材となる。ベビーベッドの形態で使用されていた床板２は、大人用ベッドの形態のとき、水平に延在する大人用ベッドの床板を下から支えて、床板の水平状態を安定に保つのに利用される。床板２の脚部２ａは、このような機能を発揮できるような長さとされている。
【００３１】
図５は、運搬時または倉庫収納時の折り畳み状態のベッドを示している。図示するように、内側頭部枠３ａは左側部枠５上に重なり合うようにされ、外側頭部枠３ｂは内側頭部枠３ａ上に重なり合うようにされる。同様に、内側足部枠４ａは左側部枠５上に重なり合うようにされ、外側足部枠４ｂは内側足部枠４ａ上に重なり合うようにされる。また、この折り畳み構造上に、床板２および右側部枠（図示省略）が重なるように置かれる。このように折り畳まれたベッドの嵩張りは、比較的小さいので、運搬および倉庫収納時のスペースの有効利用を図れる。
【００３２】
図６〜図８は、この発明の他の実施形態に係るベッド２０を示している。図示するベッド２０は、図６に示すベビーベッドとして適した形態と、図８に示す大人用ベッドとして適した形態とに切換え可能である。
【００３３】
ベビーベッドとして適した形態になっているベッド２０は、床板２１と、この床板２１の周囲を取り囲む囲い枠とを備える。囲い枠は、床板２１上に寝かされる乳幼児の頭側に位置する頭部枠２２と、足側に位置する足部枠２４と、右手側に位置する右側部枠２３と、左手側に位置する左側部枠（図示省略）とを備える。床板２１は、ねじ２６を介して、頭部枠２２および足部枠２４によって所定の高さで固定支持されている。図示を省略した左側部枠は、例えば、上下動可能または取り外し可能に設けられている。
【００３４】
図示するように、頭部枠２２は、右側部枠２３の端部から直角に屈曲して延びる内側頭部枠２２ａと、この内側頭部枠２２ａにヒンジ２５を介して回動可能に連結された外側頭部枠２２ｂとを含む。内側頭部枠２２ａと右側部枠２３との屈曲角度は固定されている。
【００３５】
足部枠２４は、右側部枠２３にヒンジ（図示省略）を介して回動可能に連結されている。図示した実施形態では、足部枠２４は、その端部に右側部枠２３に対向して平行に延びる屈曲壁２４ａを含む。
【００３６】
外側頭部枠２２ｂは、内側頭部枠２２ａに対して同平面に延在する状態（図６）から外側に屈曲して重なり合う状態（図８）になるまで回動可能である。足部枠２４は、右側部枠２３に対して、９０度に屈曲した状態（図６）からほぼ同平面に延在する状態（図８）になるまで回動可能である。
【００３７】
図６に示すベビーベッドの形態から図８に示す大人用ベッドの形態に切換えようとする場合には、ねじ２６を外して床板２１を取り外し、さらに左側部枠（図示省略）も取り外す。展開の途中状態を図７に示す。
【００３８】
図８に示す大人用ベッドの形態では、右側部枠２３および足部枠２４が同平面に延在して床板として使用される。足部枠２４の屈曲壁２４ａおよび内側頭部枠２２ａは、大人用ベッドの床板を浮かせた状態で支持するための脚部となる。また、外側頭部枠２２ｂは、頭側の枠部材となる。この外側頭部枠２２ｂの起立状態は、適当な固定手段によって維持される。
【００３９】
ベビーベッドの形態のときの床板２１は、大人用ベッドの形態の床板の下に配置され、この床板を下から安定して支えるのに利用される。
【００４０】
この発明は、ベビーベッドそのものの構造にも焦点を当てている。すなわち、図１、図２および図５に示すように、この発明に従ったベビーベッド１は、矩形の床板２と、この床板２の周囲を取り囲む囲い枠とを備える。囲い枠は、頭側に位置する頭部枠３と、足側に位置する足部枠４と、側面側に位置する側部枠５とを含む。頭部枠３は、側部枠５にヒンジを介して回動可能に連結された内側頭部枠３ａと、内側頭部枠３ａにヒンジを介して回動可能に連結された外側頭部枠３ｂとを含む。足部枠４は、側部枠５にヒンジを介して回動可能に連結された内側足部枠４ａと、内側足部枠４ａにヒンジを介して回動可能に連結された外側足部枠４ｂとを含む。このような構成のベビーベッドによれば、折畳み状態への移行操作を簡単に行なうことができ、さらに折畳み状態の嵩張りを小さくすることができる。
【００４１】
なお、本明細書中に現れる「頭部」、「足部」、「右」および「左」という用語は、相対的な位置関係を示すために便宜的に使用したものである。
【００４２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００４３】
この発明は、ベビーベッドと大人用ベッドとを兼用できるベッドに有利に適用され得る。さらに、この発明は、折畳み操作が簡単なベビーベッドとして有利に利用され得る。
【図面の簡単な説明】
【００４４】
【図１】ベビーベッドの形態となっているベッドの一実施形態を示す斜視図である。
【図２】大人用ベッドの形態に移行する途中段階の形態を示す斜視図である。
【図３】大人用ベッドの形態となっているベッドの一実施形態を示す斜視図である。
【図４】大人用ベッドの形態となっているベッドの一実施形態を示す側面図である。
【図５】折り畳み状態のベッドの一実施形態を示す側面図である。
【図６】ベビーベッドの形態となっているベッドの他の実施形態を示す斜視図である。
【図７】大人用ベッドの形態に移行する途中段階の形態を示す斜視図である。
【図８】大人用ベッドの形態となっているベッドの他の実施形態を示す側面図である。
【符号の説明】
【００４５】
１  ベッド、２  床板、２ａ  脚部、３  頭部枠、３ａ  内側頭部枠、３ｂ  外側頭部枠、４  足部枠、４ａ  内側足部枠、４ｂ  外側足部枠、５  左側部枠、６  頭部張出部材、６ａ  穴、７  足部張出部材、７ａ  穴、８  ねじ、９  穴、１０  ヒンジ、１１  キャスタ、２０  ベッド、２１  床板、２２  頭部枠、２２ａ  内側頭部枠、２２ｂ  外側頭部枠、２３  右側部枠、２４  足部枠、２４ａ  屈曲壁、２５  ヒンジ、２６  ねじ。
【図１】
2005342136.tif 000003
【図２】
2005342136.tif 000004
【図３】
2005342136.tif 000005
【図４】
2005342136.tif 000006
【図５】
2005342136.tif 000007
【図６】
2005342136.tif 000008
【図７】
2005342136.tif 000009
【図８】
2005342136.tif 000010